(57)【要約】【課題】家屋の階高さを既存の階高さよりも高く設定する場合においても、企画設計および部品設計の負担を軽減することのできる家屋の階段構造を提供する。【解決手段】家屋の階段構造（１）は、第１階の床面（１１）から第２階の床面（１２）までの階高さが所定の高さ（Ｈ１）である家屋の階段構造であって、所定の階高さよりも低く、第１階の床面との間に間隔をあけて配置される階段本体（２）と、第１階の床面（１１）と階段本体（２）との間に配置されるスペーサ部材（３）とを備える。スペーサ部材の最上面（４０）は、階段本体（２）が載置される載置領域（４１）と、踏み面となる踏み面領域（４２）とを有している。【選択図】図１
2019056266.tif 000002
【特許請求の範囲】
【請求項１】
第１階の床面から第２階の床面までの階高さが所定の高さである家屋の階段構造であって、
前記所定の階高さよりも低く、前記第１階の床面との間に間隔をあけて配置される階段本体と、
前記第１階の床面と前記階段本体との間に配置されるスペーサ部材とを備え、
前記スペーサ部材の最上面は、前記階段本体が載置される載置領域と、踏み面となる踏み面領域とを有している、家屋の階段構造。
【請求項２】
前記スペーサ部材は、前記最上面の踏み面領域を最上段とし、各上面に踏み面が形成された複数の段を含む、請求項１に記載の家屋の階段構造。
【請求項３】
前記スペーサ部材の前記各段の高さは、前記階段本体の蹴上高さと異なっている、請求項２に記載の家屋の階段構造。
【請求項４】
前記スペーサ部材の前記複数の段は、前記スペーサ部材の上に位置する前記階段本体の昇降動線と交差するように設けられている、請求項２または３に記載の家屋の階段構造。
【請求項５】
前記スペーサ部材の前記各段の上面には、前記第１階の床面と同じ仕上材が施されている、請求項２〜４のいずれかに記載の家屋の階段構造。
【請求項６】
前記第１階の床面に立設される第１側壁と、前記第１側壁に交差する交差壁とをさらに備え、
前記階段本体は、前記第１側壁に沿って配置され、かつ、前記交差壁から離れて配置されており、
前記スペーサ部材は、前記第１側壁と前記交差壁とのコーナー部に配置される、請求項１〜５のいずれかに記載の家屋の階段構造。
【請求項７】
前記第１側壁と略平行であって、前記交差壁から離れて配置される第２側壁をさらに備え、
前記階段本体は、前記第１側壁および前記第２側壁に沿って配置され、
前記スペーサ部材は、前記第２側壁を受入れる切欠き部を有している、請求項６に記載の家屋の階段構造。
【請求項８】
第１階の床面から第２階の床面までの階高さが所定の高さである家屋の階段の施工方法であって、
踏み面となる踏み面領域と載置領域とを最上面に有するスペーサ部材を、前記第１階の床面上に設置する工程と、
前記スペーサ部材の最上面の前記載置領域に、前記所定の階高さよりも低い階段本体を載置する工程とを備える、家屋の階段の施工方法。
【発明の詳細な説明】
【技術分野】
【０００１】
本発明は、家屋の階段構造、および、家屋の階段の施工方法に関する。
【背景技術】
【０００２】
家屋の階段の施工性を向上するために、予め工場で作られた階段ユニットを現場で組み立てる技術が従来から広く知られている。
【０００３】
たとえば特開２０１４−２５３３４号公報（特許文献１）では、建物の基準寸法であるモジュールに基づいてそれぞれ形成され、なおかつ互いに組み合わせ自在な直階段ユニット、廻り階段ユニット及び踊り場ユニットを少なくとも１つずつ備える階段セットから、少なくとも２つ以上のユニットを組み合わせ、躯体内に設置することにより階段を施工する階段の施工方法が開示されている。
【０００４】
また特開平６−１０８５９９号公報（特許文献２）では、左右の側板間に複数の段板を平行に組み付けてなる下側直階段ユニットおよび上側直階段ユニットと、その間に接続され、軸組の上に方向を直角に転換する複数の段板を組み付けてなる回り階段ユニットと、同じく軸組の上に平板を組み付けてなる踊場ユニットと、回り階段ユニットの下面を支持する軸組ユニットと、下側および上側の両直階段ユニット間を仕切る仕切壁ユニットとを備えた回り階段が開示されている。
【先行技術文献】
【特許文献】
【０００５】
【特許文献１】特開２０１４−２５３３４号公報
【特許文献２】特開平６−１０８５９９号公報
【発明の概要】
【発明が解決しようとする課題】
【０００６】
工業化住宅などの家屋においては、家屋の階高さに合わせて複数の階段プランが設計され、その階段プランに従って、上述のような階段ユニットが工場等において事前に作成される。また、階段プランに従って、階段を構成する側桁や踏板などの部品を工場等においてプレカットしておき、現場でこれらのプレカット部品を組み立てることも、従来から行われている。
【０００７】
このように、家屋の階段プランは階高さに応じて設計されるため、たとえば、家屋の階高さを既存の階高さ（たとえば標準の階高さ）よりも高く設定する場合には、新たな階段プランを設計し、この階段プランに従って階段ユニットまたはプレカット部品を作らなければならない。しかしながら、階段プランごとに階段ユニット等を準備しようとすると、多大な部品設計および品番展開を伴う。また、階段ユニット等を用いずに、別注対応することも考えられるが、その場合においては、個別に階段プランの企画設計および部品設計を行わなければならないため、負荷が大きくなる。
【０００８】
本発明は、上記のような課題を解決するためになされたものであって、その目的は、家屋の階高さを既存の階高さよりも高く設定する場合においても、企画設計および部品設計の負担を軽減することのできる家屋の階段構造を提供することである。
【課題を解決するための手段】
【０００９】
この発明のある局面に従う家屋の階段構造は、第１階の床面から第２階の床面までの階高さが所定の高さである家屋の階段構造であって、所定の階高さよりも低く、第１階の床面との間に間隔をあけて配置される階段本体と、第１階の床面と階段本体との間に配置されるスペーサ部材とを備える。スペーサ部材の最上面は、階段本体が載置される載置領域と、踏み面となる踏み面領域とを有している。
【００１０】
好ましくは、スペーサ部材は、最上面の踏み面領域を最上段とし、各上面に踏み面が形成された複数の段を含む。
【００１１】
スペーサ部材の各段の高さは、階段本体の蹴上高さと異なっていてもよい。
【００１２】
スペーサ部材の複数の段は、スペーサ部材の上に位置する階段本体の昇降動線と交差するように設けられていることが望ましい。
【００１３】
好ましくは、スペーサ部材の各段の上面には、第１階の床面と同じ仕上材が施されている。
【００１４】
好ましくは、家屋の階段構造は、第１階の床面に立設される第１側壁と、第１側壁に交差する交差壁とをさらに備える。この場合、階段本体は、第１側壁に沿って配置され、かつ、交差壁から離れて配置されており、スペーサ部材は、第１側壁と交差壁とのコーナー部に配置されることが望ましい。
【００１５】
より好ましくは、家屋の階段構造は、第１側壁と略平行であって、交差壁から離れて配置される第２側壁をさらに備える。この場合、階段本体は、第１側壁および第２側壁に沿って配置され、スペーサ部材は、第２側壁を受入れる切欠き部を有していることが望ましい。
【００１６】
この発明の他の局面に従う家屋の階段の施工方法は、第１階の床面から第２階の床面までの階高さが所定の高さである家屋の階段の施工方法であって、踏み面となる踏み面領域と載置領域とを最上面に有するスペーサ部材を、第１階の床面上に設置する工程と、スペーサ部材の最上面の載置領域に、所定の階高さよりも低い階段本体を載置する工程とを備える。
【発明の効果】
【００１７】
本発明によれば、家屋の階高さを既存の階高さよりも高く設定する場合においても、既存の階高さ用に設計された階段本体を流用することができるため、企画設計および部品設計の負担を軽減することができる。
【図面の簡単な説明】
【００１８】
【図１】本発明の実施の形態に係る家屋の階段構造の概略構成を模式的に示す図である。
【図２】本発明の実施の形態に係る家屋の階段構造を示す平面図である。
【図３】本発明の実施の形態に係る家屋の階段構造の要部を示す斜視図である。
【図４】本発明の実施の形態におけるスペーサ部材の上面図である。
【図５】本発明の実施の形態に係る家屋の階段構造の施工手順を示すフローチャートである。
【図６】本発明の実施の形態におけるスペーサ部材の下地ユニットを示す斜視図である。
【図７】図５のフローチャートの工程Ｐ１を示す図である。
【図８】図５のフローチャートの工程Ｐ２を示す図である。
【図９】図５のフローチャートの工程Ｐ３を示す図である。
【図１０】図５のフローチャートの工程Ｐ４を示す図である。
【図１１】本発明の実施の形態おいて、スペーサ部材の最上面の踏み面領域で進行方向が略９０度方向転換することを概念的に示す平面図である。
【図１２】家屋の階段構造の他の構成例を示す平面図である。
【図１３】家屋の階段構造のさらに他の構成例を示す平面図である。
【発明を実施するための形態】
【００１９】
本発明の実施の形態について図面を参照しながら詳細に説明する。なお、図中同一または相当部分には同一符号を付してその説明は繰返さない。
【００２０】
本実施の形態においては、１階床面から２階床面までの階高さが所定の高さである家屋における階段構造について説明する。なお、本実施の形態に係る階段構造は、上下方向において互いに隣接する第１階および第２階の間の階段構造であればよく、たとえば２階床面と３階床面との間の階段構造であってもよい。
【００２１】
工業化住宅などの家屋は、建築上の基準長さを１モジュール（１Ｐ）とし、このモジュールに基づいてプランニングされている。そのため、このような家屋の階段は、このモジュールに基づいて規格化された階段ユニットあるいはプレカット部品によって組み立てられる。１モジュールの長さは、たとえば、９１０ｍｍまたは１０００ｍｍである。
【００２２】
今般の住宅においては、家屋の天井高を、標準の天井高よりも高くしたいという要望が多くなってきている。天井高を高くするには、階高さも標準の階高さよりも高くする必要がある。しかしながら、家屋の階高さに合わせて新たな階段プランを設計し、この階段プランに従って階段ユニットまたはプレカット部品を規格化するためには、多大な部品設計および品番展開を伴うため、階高さの高い家屋を建てる場合には、別注対応で階段の企画設計および部品設計を行っているのが現状である。
【００２３】
これに対し、本実施の形態では、家屋の実際の階高さと標準の階高さとの差分を埋めるスペーサ部材を用いることで、標準の階高さ用に規格化された階段本体（階段ユニットまたはプレカット部品）を、標準の階高さよりも高い階高さの家屋の階段に流用できるようにしている。以下に、このような家屋の階段構造について、詳細に説明する。
【００２４】
（階段構造について）
図１〜図３を参照して、本実施の形態に係る家屋の階段構造１について説明する。図１は、家屋の階段構造１の概略構成を模式的に示す図である。図２は、家屋の階段構造１を示す平面図である。図３は、家屋の階段構造１の要部を示す斜視図である。
【００２５】
図１を参照して、家屋の１階床面１１から２階床面１２までの階高さＨ１は、所望の天井高さＨ３を実現するために、標準の階高さ（Ｈ０）よりも高く設定されている。標準の階高さＨ０は、たとえば２７００〜２９００程度であり、家屋の階高さＨ１は、たとえば３１００〜３３００程度である。
【００２６】
階段構造１は、標準の階高さＨ０と略同じ高さを有する階段本体２を備えている。つまり、階段本体２は、家屋の所定の階高さＨ１よりも低い。
【００２７】
階段本体２は、たとえば、２×２モジュールの階段室用に規格化された階段であり、下側の直線階段ユニット２１と、廻り階段ユニット２２と、上側の直線階段ユニット２３とで構成されている。この場合、直線階段ユニット２１，２２の幅寸法Ｌ３２が略１モジュールに対応する。
【００２８】
階段ユニット２１〜２３の蹴上高さｈ１は一定であり、たとえば２００ｍｍ程度である。また、直線階段ユニット２１，２２の踏み面２０の奥行き寸法Ｌ３１は、典型的には、蹴上高さｈ１と同じ長さか若干それよりも長い。
【００２９】
階段本体２を構成するこれらのユニット２１，２２，２３は、組み立てた際に全体の高さが標準の階高さＨ０となるように、予め工場等において形成されている。なお、階段本体２は、このような複数のユニット２１，２２，２３で構成されるものに限定されず、側桁および踏み板などのプレカット部品を現場で組み付けて構成されるものであってもよい。プレカット部品もまた、組み付けた際に全体の高さが標準の階高さＨ０となるように、予め工場等において形成されている。
【００３０】
階段本体２の上端は２階の床に連結され、階段本体２は２階床面１２に連なるように配置される。そのため、階段本体２は、１階床面１１から上方に間隔をあけて配置される。この間隔の高さ寸法は、家屋の実際の階高さＨ１と標準の階高さＨ０との差分Ｈ２に相当する。差分Ｈ２は、２００〜５００ｍｍであり、ここでは３００ｍｍ程度であると仮定する。
【００３１】
本実施の形態に係る家屋の階段構造１は、１階床面１１と階段本体２との間に配置されるスペーサ部材３をさらに備えている。つまり、階段本体２の下側の直線階段ユニット２１がスペーサ部材３の上に載置され、スペーサ部材３によって、家屋の実際の階高さＨ１と標準の階高さＨ０との差分Ｈ２が埋められている。
【００３２】
階段本体２は、スペーサ部材３の最上面４０の一部に載置され、最上面４０の残りは露出する。つまり、スペーサ部材３の最上面４０は、階段本体２が載置される載置領域４１と、踏み面となる踏み面領域４２とを有している。なお、スペーサ部材３の最上面４０は、後述のようにスペーサ部材３が複数の段を有する場合に、最上段の上面であることを示している。また、スペーサ部材３が１段のみを有する場合には、その段の上面が最上面４０を構成する。
【００３３】
スペーサ部材３と、その上に位置する下側の直線階段ユニット２１との位置関係について、図２を参照して説明する。
【００３４】
図２に示されるように、１階床面１１上には、階段室を仕切る間仕切りパネルとして、第１側壁９１、第２側壁９３、および交差壁９２が立設されている。第１側壁９１と第２側壁９３とは互いに平行に配置されている。第１側壁９１は交差壁９２と直交（交差）しているのに対し、第２側壁９３は交差壁９２から離れて配置されている。なお、第１側壁９１は、下側の直線階段ユニット２１と上側の直線階段ユニット２３との間に位置し、第２側壁９３は、１階の室内空間に面している。
【００３５】
階段本体２の下側の直線階段ユニット２１は、第１および第２側壁９１，９３に沿って配置されている。下側の直線階段ユニット２１は、第１側壁９１および第２側壁９３に挟まれる部分にのみ配置されており、直線階段ユニット２１の一対の側桁２１ａは、第１および第２側壁９１，９３に面接触して固定されている。なお、直線階段ユニット２１の最下段の蹴込面の位置は、第２側壁９３の交差壁９２側の端面と略同じ位置である。
【００３６】
このような階段室において、スペーサ部材３は、第１側壁９１と交差壁９２とのコーナー部に配置されている。本実施の形態において、スペーサ部材３は、略直方体形状に形成されており、スペーサ部材３が、第１側壁９１と交差壁９２とに突き当たるように配置されている。平面視において、階段本体２から交差壁９２までの間隔が、スペーサ部材３によって埋められている。つまり、スペーサ部材３の最上面４０の踏み面領域４２が、階段本体２とそれに対面する交差壁９２との間に形成される。
【００３７】
これにより、第２側壁９３と交差壁９２との間の開口から、スペーサ部材３への昇降が可能となる。したがって、１階床面１１からスペーサ部材３の最上面４０の踏み面領域４２へと至る昇降動線Ａ１は、スペーサ部材３の上に位置する階段本体２の昇降動線Ａ２と直行するように形成される。階段本体２の昇降動線Ａ２の方向は、第１および第２側壁９１，９３に沿う方向であり、スペーサ部材３の上に直接載置される下側の直線階段ユニット２１の延在方向を示す。なお、スペーサ部材３の最上面４０の載置領域４１および踏み面領域４２は、階段本体２の昇降動線Ａ２に沿って互いに隣接して位置する。
【００３８】
階段本体２または第２側壁９３と交差壁９２との間の間隔Ｌ１０は、略１モジュールに相当していることが望ましい。この間隔Ｌ１０は、最上面４０の踏み面領域４２の基本の幅寸法に相当する。なお、この間隔Ｌ１０は、略１モジュールに限定されないが、直線階段ユニット２１の踏み面２０の幅寸法Ｌ３２以上であることが望ましく、省スペース化の観点からすれば、踏み面２０の幅寸法Ｌ３２の２倍以下であることも望ましい。
【００３９】
スペーサ部材３の構成例については、図４の上面図を参照しながら説明する。図４には、理解を容易にするために、スペーサ部材３の昇降動線Ａ１の方向と、スペーサ部材３の上に載置される直線階段ユニット２１の昇降動線Ａ２の方向とが、矢印で示されている。また、最上面４０における載置領域４１と踏み面領域４２との境界位置が、一点鎖線で示されている。また、スペーサ部材３の骨組み構造が破線で示されている。
【００４０】
スペーサ部材３は、１階の室内空間側から見て、正面の第１側壁９１に面接触する側面部３０Ａと、交差壁９２に面接触する右側面部３０Ｂと、少なくとも一部が階段本体２の下方に配置される左側面部３０Ｄと、右側面部３０Ｂおよび左側面部３０Ｄに交差し、１階の室内空間に露出する側面部３０Ｃとを有している。つまり、上記昇降動線Ａ１は側面部３０Ｃを通過する。
【００４１】
スペーサ部材３は、図１に示されるように、踏み面領域４２を最上段とし、各上面に踏み面が形成された複数の段（たとえば２段）を含む。複数の段による段差は、側面部３０Ｃ側に表れるように設けられている。本実施の形態では、スペーサ部材３は、下段３１および上段３２を含み、上段３２の踏み面が上記踏み面領域４２によって実現される。なお、複数の段は、２段に限定されず、３段以上であってもよい。
【００４２】
図２を参照して、１階の室内空間側から見て、上段３２の踏み面の奥行き寸法Ｌ１１は、階段本体２の幅寸法Ｌ３２よりも大きい。そのため、スペーサ部材３の下段３１の踏み面の全部、および上段３２の踏み面のうち手前側の端部（以下「拡張踏み面」という）が、間仕切りパネルとしての第２側壁９３よりも、１階の室内空間側へ張り出して配置されている。第２側壁９３から１階の室内空間側への張り出し長さは、１／２モジュール以下（５００ｍｍ以下）である。
【００４３】
さらに、上段３２の拡張踏み面の幅寸法Ｌ２１（図４）は、階段本体２または第２側壁９３と交差壁９２との間の間隔Ｌ１０すなわち、上段３２の踏み面の基本の幅寸法よりも若干大きい。
【００４４】
下段３１の踏み面の幅寸法Ｌ２は、上段３２の拡張踏み面の幅寸法Ｌ２１よりもさらに大きく、スペーサ部材３全体の幅寸法に相当する。下段３１の踏み面は、交差壁９２の反対側に向かって拡張されている。さらに、下段３１の踏み面は、第２側壁９３に接するように、平面視において略Ｌ字状に形成されている。これにより、１階の室内空間側から見たときの階段構造１の意匠性を向上させることができる。
【００４５】
この場合、図４に示されるように、スペーサ部材３の側面部３０Ｄ側には、第２側壁９３を受け入れるための切欠き部３３が予め形成されていることが望ましい。切欠き部３３は、第２側壁９３の壁厚分の隙間を形成する。これにより、階段構造１の施工を容易に行うことができる。
【００４６】
図２に示されるように、下段３１の踏み面の奥行き寸法Ｌ１２は、上段３２の踏み面の奥行き寸法Ｌ１１よりも小さい。具体的には、下段３１の踏み面の奥行き寸法Ｌ１２は、上段３２の踏み面の奥行き寸法Ｌ１１の１／２以下であることが望ましく、１／３以下であることがより望ましい。ただし、下段３１の踏み面の奥行き寸法Ｌ１２は、階段本体２の直線階段ユニット２１における踏み面２０の奥行き寸法Ｌ３１以上であることが望ましい。
【００４７】
スペーサ部材３の各段３１，３２の高さ（蹴上高さ）は互いに等しいことが望ましい。スペーサ部材３の蹴上高さｈ２は、階段本体２の蹴上高さｈ１と異なっていてもよい。本実施の形態では、スペーサ部材３の蹴上高さｈ２は、階段本体２の蹴上高さｈ１よりも小さい。
【００４８】
上述のように、スペーサ部材３の上段３２の踏み面の奥行き寸法Ｌ１１は、階段本体２の基本の幅寸法Ｌ３２よりも大きく、具体的には１モジュール以上である。これにより、図１１に示されるように、上段３２の踏み面において、２ステップ（４歩）以上確保できるため、居住者は、上段３２の踏み面において、進行方向を無理なく転換することができる。つまり、階段本体２を上る前に、上段３２の踏み面上において身体の向きを階段本体２に真っ直ぐ向き合う状態とすることができる。
【００４９】
したがって、上段３２の踏み面において昇降リズムをリセットできるため、スペーサ部材３の蹴上高さｈ２が階段本体２の蹴上高さｈ１と異なっていても、転倒などが起き難く、安全性を確保することができる。なお、スペーサ部材３の蹴上高さｈ２と階段本体２の蹴上高さｈ１とは、互いに等しくてもよい。
【００５０】
（家屋の階段の施工方法について）
図５を参照して、家屋の階段の施工方法について説明する。図５は、家屋の階段構造１の施工手順を示すフローチャートである。
【００５１】
はじめに、家屋の１階床面１１上に、スペーサ部材３を設置する（工程Ｐ１）。具体的には、たとえば、スペーサ部材３の骨組みを構成する下地ユニットを１階床面１１上に載置し、その後、各段３１，３２の上面を構成する板状の仕上げ材を施工する。
【００５２】
図６には、スペーサ部材３の下地ユニット５の構成例が示されている。下地ユニット５は、たとえば、複数の根太５１〜５５と、複数の木桟５６〜６０とで構成される。根太５１〜５５は、一定方向に沿って配置され、木桟５６〜６０は、根太５１〜５５に直交するように配置される。図４に示されるように、根太５１〜５５の延在方向は、スペーサ部材３の昇降動線Ａ１の方向に対応し、木桟５６〜６０の延在方向は、直線階段ユニット２１の昇降動線Ａ２の方向に対応する。
【００５３】
木桟６０は、スペーサ部材３の上段３２の拡張踏み面の縁部を構成する部材である。奥の木桟５７は、この木桟（以下「中間の木桟」という）６０と同じ高さに配置され、手前の木桟５９は、中間の木桟６０よりも低い位置に配置される。残りの（奥に位置する）木桟５６と（手前に位置する）木桟５８は、下地ユニット５の下端位置に配置される。これにより、中間の木桟６０と奥の木桟５６，５７との間に上段３２が形成され、中間の木桟６０と手前の木桟５８，５９との間に下段３１が形成される。
【００５４】
根太５１の長さ寸法は、スペーサ部材３全体の奥行き寸法Ｌ１（図４）に相当する。根太５１は、全ての木桟５６〜６０に接続されており、その長さ方向において、高さの高い部分と低い部分とを有している。根太５１は、木桟５６〜６０の延在方向、すなわちスペーサ部材３の幅方向に沿って、互いに間隔をあけて複数設けられている。幅方向一方端に位置する根太５１の外側面によって側面部３０Ｂが形成される。
【００５５】
根太５５は、高さの高い部分のみを有しており、奥の木桟５６，５７にのみ接続されている。根太５５は、幅方向他方端に位置し、その外側面によって側面部３０Ｄの一部が形成される。根太５５は、直線階段ユニット２１の側桁２１ａ（図１）の荷重を受ける。
【００５６】
根太５４は、高さの低い部分のみを有しており、手前の木桟５８，５９にのみ接続されている。根太５４は、奥行き方向位置が根太５５と重ならないように配置されており、根太５４と根太５５との間の隙間によって上述の切欠き部３３が形成されている。本実施の形態では、根太５４は、根太５５よりもさらに外側（幅方向他方側）に配置されており、根太５４の外側面によって側面部３０Ｄの残りの部分が形成される。根太５４の長さ寸法は、第２側壁９３からのスペーサ部材３の張り出し長さに相当する。
【００５７】
根太５３は、高さの高い部分のみを有しており、根太５１と根太５５との間に配置される。根太５３もまた、奥の木桟５６，５７にのみ接続されている。根太５３は、第２側壁９３の突き当たり面を構成する。つまり、設置状態において、根太５３の手前側端部の側面は第２側壁９３の端面と面接触する。
【００５８】
根太５２は、幅方向において根太５１と根太５４との間に位置している。根太５２の長さは、根太５４と略同じ長さであるが、根太５２は、高さの高い部分と高さの低い部分とを有しており、手前の木桟５８，５９と中間の木桟６０との双方に接続されている。本実施の形態では、根太５２は、第２側壁９３の位置決め機能も果たす根太５３の位置よりも若干外側に配置されている。
【００５９】
このような下地ユニット５は、予め工場等において製造されていることが望ましい。これにより、現場での施工を簡略化することができる。
【００６０】
図７に示されるように、このような下地ユニット５を、１階床面１１上に載置した後に、下地ユニット５の各段の上面に、下地合板６１および床仕上材６２を貼り付ける。図７に示されるように、下地ユニット５は、１階床の下地面１１ａ上に載置されて、下地ユニット５に隣接するように床仕上材７１が配置されてもよい。
【００６１】
スペーサ部材３の床仕上材６２は、１階床面１１を構成する床仕上材７１と同じである。つまり、図３に示されるように、スペーサ部材３の各段３１，３２の上面には、１階床面１１と同じ仕上材が施されていることが望ましい。これにより、視覚上においても、階段本体２の踏み面２０とスペーサ部材３の踏み面とを区別できるため、スペーサ部材３の蹴上高さｈ１と階段本体２の蹴上高さｈ２とが異なる場合であっても、安全性を向上させることができる。
【００６２】
なお、スペーサ部材３の上面には、階段本体２の踏み面と同じ仕上材を施してもよい。この場合、視覚上において、スペーサ部材３を階段の一部のように見せることができる。
【００６３】
スペーサ部材３が所定位置に設置されると、階段室を区画する間仕切りパネルを施工する（工程Ｐ２）。つまり、上記した第１側壁９１および交差壁９２を、スペーサ部材３の２つの側面部３０Ａ，３０Ｂと当接するように、１階床面１１上に立設する。また、第２側壁９３を、スペーサ部材３に設けられた切欠き部３３に嵌め入れて、１階床面１１上に立設する。このような状態が、図８に示されている。なお、第１側壁９１および交差壁９２の少なくとも一方は、スペーサ部材３の設置前に施工されてもよい。
【００６４】
間仕切りパネルの施工が終わると、図９に示されるように、スペーサ部材３の上に、階段本体２を設置する（工程Ｐ３）。つまり、家屋の階高さＨ１よりも低い階段本体２が、スペーサ部材３の最上面４０のうちの載置領域４１に載置される。より特定的には、下側の直線階段ユニット２１の一対の側桁２１ａが、載置領域４１に載置される。
【００６５】
階段本体２の施工が完了した段階で、周辺部の仕上げ、施工が行われる（工程Ｐ４）。具体的には、図１０に示されるように、スペーサ部材３の各段３１，３２の蹴込面に、石膏ボードなどの化粧板６３を貼り付ける。また、階段本体２の昇降補助のための手すり８１を、たとえば第１側壁９１に固定する。さらに、図２および図１０に示されるように、スペーサ部材３から階段本体２への回り込みを補助するための手すり８２を第２側壁９３に取り付けてもよい。手すり８２は、第２側壁９３の端面に、縦向きに固定される。
【００６６】
上述のような手順を経ることで、家屋の階段構造１が完成する。
【００６７】
以上説明したように、本実施の形態によれば、スペーサ部材３を用いることにより、１階床面の位置を嵩上げすることができる。したがって、家屋の階高さ（Ｈ１）を既存の階高さ（Ｈ０）よりも高く設定する場合においても、既存の階高さ用に設計された階段本体２を流用することができるため、企画設計および部品設計の負担を軽減することができる。
【００６８】
また、今後想定し得る階高さと既存の階高さとの差分Ｈ２ごとに、スペーサ部材３を下地ユニット５のようにユニット化しておくことで、様々な階高さの家屋に、既存の階段本体２を流用できる。また、この場合、平面計画への影響を最小限に抑えながら階段プランを拡充できるため、顧客への階段プランの提案力を向上させることができる。
【００６９】
なお、下地ユニット５は、根太および木桟により構成される例に限定されず、たとえば、大引きと、大引きを下方から支持する束とによって構成されてもよい。
【００７０】
（階段構造の変形例）
上記実施の形態では、図１１に示されるように、１階床面１１から２階床面１２までの全体の昇降動線が略Ｓ字状になるようなスペーサ部材３の配置例を示したが、限定的ではなく、スペーサ部材３は、その昇降動線とスペーサ部材３の上に載置される階段の昇降動線とが略直交するように配置されていればよい。
【００７１】
たとえば、図１２の階段構造１Ａのように、１階床面１１から２階床面１２までの全体の昇降動線が略螺旋状になるように、スペーサ部材３Ａを配置してもよい。スペーサ部材３の上には、上記と同じ２×２モジュールの階段室用に規格化された階段本体２が載置されている。
【００７２】
あるいは、図１３の階段構造１Ｂのように、直線階段のみで構成される階段本体２Ａの下に、スペーサ部材３Ｂを配置し、１階床面１１から２階床面１２までの全体の昇降線が略Ｌ字状になるようにしてもよい。階段本体２Ａは、たとえば、１×３モジュールの階段室用に規格化された階段である。
【００７３】
なお、上記実施の形態では、階段室が間仕切りパネルにより区画される例を示したが、限定的ではない。上述の第１側壁９１、交差壁９２、および第２側壁９３は、各々、空間を仕切る部材であればよく、たとえば縦格子などによって構成されていてもよい。あるいは、スペーサ部材３が複数の段を有するような場合には、スペーサ部材３の昇降動線Ａ１は複数の段を通過するように規定されるため、交差壁９２を省略してもよい。
【００７４】
また、上記実施の形態では、階段本体が、階段ユニットまたはプレカット部品により構成されることとしたが、限定的ではなく、階段本体は、現場で切断された部品によって組み立てられるものであってもよい。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７６】
１，１Ａ，１Ｂ  階段構造、２，２Ａ  階段本体、２１〜２３  階段ユニット、３，３Ａ，３Ｂ  スペーサ部材、５  下地ユニット、１１  １階床面、１２  ２階床面、２０  踏み面、２１ａ  側桁、３１  下段、３２  上段、３３  切欠き部、４０  最上面、４１  載置領域、４２  踏み面領域、５１〜５５  根太、５６〜６０  木桟、６１  下地合板、６２，７１  床仕上材、６３  化粧板、８１，８２  手すり、９１  第１側壁、９３  第２側壁、９２  交差壁、Ａ１，Ａ２  昇降動線。
【図１】
2019056266.tif 000003
【図２】
2019056266.tif 000004
【図３】
2019056266.tif 000005
【図４】
2019056266.tif 000006
【図５】
2019056266.tif 000007
【図６】
2019056266.tif 000008
【図７】
2019056266.tif 000009
【図８】
2019056266.tif 000010
【図９】
2019056266.tif 000011
【図１０】
2019056266.tif 000012
【図１１】
2019056266.tif 000013
【図１２】
2019056266.tif 000014
【図１３】
2019056266.tif 000015